【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
末端と、先端と、該末端から先端に延在する長手軸とを有するステントであって、該ステントは非拡張状態及び拡張状態を有し、該ステントは更に、
複数の軸方向に間隔があけられた蛇状帯と、各蛇状帯は複数のストラットを含み、隣接するストラットは互いに連結されて、複数の頂及び谷を形成するものであり、
前記蛇状帯を軸方向に連結する複数の相互連結ストラットと、
軸方向に隣接する蛇状帯及び円周方向に隣接する相互連結ストラットによって画定される複数のセルとを含み、
前記ステントが前記非拡張状態にある時には、各帯は複数のスリットを含み、各スリットは、非直線状であると共に第１端から第２端まで連続しており、また３個の連続連結されたストラット各々の少なくとも一部に形成され、
前記３個の連続連結ストラットは、第１ストラットと、第２ストラットと、第３ストラットとを含み、該第１、第２、及び第３ストラット各々は、第１端及び第２端を有し、該第１ストラットの第２端は該第２ストラットの第１端と連結されると共に、該第２ストラットの第２端は該第３ストラットの第１端と連結されており、前記スリットの第１端は該第１ストラットに位置決めされると共に、前記スリットの第２端は該第３ストラットに位置決めされ、
前記ステントの拡張状態への拡張に際して、該スリット各々は、コラム内セル、即ちＩＣＣを形成するように、寸法が拡張する
ことを特徴とするステント。
【請求項２】
各蛇状帯は、前記ステントの前記長手軸の周りに円周方向に配向される軸と、該蛇状帯の軸によって交差される末端及び先端とを有し、前記複数のストラットは、前記蛇状帯の軸に沿って間隔があけられており、また前記頂は頂点を有し、且つ前記谷は中心点を有しており、該頂及び谷は、交互に先端及び末端に対向することを特徴とする請求項１のステント。
【請求項３】
前記スリットは前記蛇状帯の軸を、少なくとも３回交差することを特徴とする請求項２のステント。
【請求項４】
前記第１、第２、及び第３ストラット各々は、第１セグメント及び第２セグメントを有し、前記スリットは、該第１、第２、及び第３ストラット各々の第１セグメント及び第２セグメントを分けることを特徴とする請求項２のステント。
【請求項５】
前記第１ストラットの第１セグメントは、前記第２ストラットの第１セグメントに連結されて谷を形成し、該第２ストラットの第１セグメントは、前記第３ストラットの第１セグメントに連結されて頂を形成し、前記第１ストラットの第２セグメントは、前記第２ストラットの第２セグメントと連結されて頂を形成し、また該第２ストラットの第２セグメントは、前記第３ストラットの第２セグメントに連結されて谷を形成することを特徴とする請求項４のステント。
【請求項６】
前記ＩＣＣは、多角形であると共に、少なくとも２個の内優角を有することを特徴とする請求項２のステント。
【請求項７】
前記ＩＣＣは、少なくとも２個の内鋭角を有することを特徴とする請求項６のステント。
【請求項８】
前記ＩＣＣは、１８０度未満の少なくとも４個の内角を有することを特徴とする請求項７のステント。
【請求項９】
前記ＩＣＣは、多角形であると共に、少なくとも２個の内優角を有することを特徴とする請求項５のステント。
【請求項１０】
前記ＩＣＣは、少なくとも２個の内鋭角を有することを特徴とする請求項９のステント。
【請求項１１】
前記ＩＣＣは、１８０度未満の少なくとも４個の内角を有することを特徴とする請求項１０のステント。
【請求項１２】
前記第１、第２、及び第３ストラットの第１及び第２セグメントはＩＣＣを画定し、また該第１ストラットの第１セグメントは、該第３ストラットの第２セグメントと平行であることを特徴とする請求項９のステント。
【請求項１３】
前記第１、第２、及び第３ストラットの第１及び第２セグメントはＩＣＣを画定し、また該第１ストラットの第２セグメントは、該第３ストラットの第１セグメントと平行であることを特徴とする請求項９のステント。
【請求項１４】
前記第１、第２、及び第３ストラットの第１及び第２セグメントはＩＣＣを画定し、また該第２ストラットの第１セグメントは、該第２ストラットの第２セグメントと平行であることを特徴とする請求項９のステント。
【請求項１５】
前記第１ストラットの第２セグメントは、前記第３ストラットの第１セグメントと平行であり、また前記第２ストラットの第１セグメントは、前記第２ストラットの第２セグメントと平行であることを特徴とする請求項１２のステント。
【請求項１６】
前記第１ストラットの第２セグメント及び前記第３ストラットの第１セグメントは、前記第１ストラットの第１セグメント及び前記第３ストラットの第２セグメントよりも大きい幅を有することを特徴とする請求項５のステント。
【請求項１７】
前記第２ストラットの第１セグメント及び第２セグメントは、それらの全長に沿って幅が変化することを特徴とする請求項１６のステント。
【請求項１８】
前記蛇状帯は更に複数の主要ヒンジ点を含み、前記ステントの拡張及び前記ＩＣＣの形成に際して、前記第１、第２、及び第３ストラットの第１及び第２セグメントは、該主要ヒンジ点の周りを回転して、該ＩＣＣを形成するように、前記スリットの寸法を増加させることを特徴とする請求項９のステント。
【請求項１９】
第１主要ヒンジ点は、前記第２ストラットの第１セグメントの端に配置され、また前記第２ストラットの第１セグメント及び前記第３ストラットの第１セグメントは、該第１主要ヒンジ点の周りを枢転することを特徴とする請求項１８のステント。
【請求項２０】
第２主要ヒンジ点は、前記第２ストラットの第２セグメントの端に配置され、また前記第２ストラットの第２セグメント及び前記第１ストラットの第２セグメントは、該第２主要ヒンジ点の周りを枢転することを特徴とする請求項１９のステント。
【請求項２１】
前記ＩＣＣは前記第１、第２、及び第３ストラットの第１及び第２セグメントによって画定され、６個の主要ヒンジ点を有することを特徴とする請求項２０のステント。
【請求項２２】
前記複数のセルの形状は、前記ＩＣＣの形状と異なることを特徴とする請求項２のステント。
【請求項２３】
前記ステントは更に治療薬を含むことを特徴とする請求項２のステント。
【請求項２４】
前記治療薬は、前記ステントの外面上のコーティング又は層の形態をなすことを特徴とする請求項２３のステント。
【請求項２５】
前記治療薬は、非遺伝子治療薬、遺伝子材料、細胞、及びそれらの組み合わせからなるグループから選択されることを特徴とする請求項２４のステント。
【請求項２６】
先端部及び請求項１に係るステントを有するカテーテルを含むステント送出システム。
【請求項２７】
末端と、先端と、該末端から該先端に延在する長手軸とを有するステントであって、該ステントは非拡張状態及び拡張状態を有し、該ステントは更に、
複数の軸方向に間隔があけられた帯と、各帯は複数のストラットを含み、隣接するストラットは互いに連結されて、複数の頂及び谷を形成し、
前記帯を軸方向に連結する複数の相互連結ストラットと、
軸方向に隣接する帯及び円周方向に隣接する相互連結ストラットによって画定される複数のセルとを含み、
前記ステントが前記非拡張状態にある時に、各帯は複数のスリットを含み、各スリットは非直線状であると共に、第１端から第２端まで連続しており、該第１端は前記相互連結ストラットの１個内に配置され、また各スリットは、各帯の２個の連続連結ストラット各々の少なくとも一部に形成されることを特徴とするステント。
【請求項２８】
前記複数の軸方向に間隔があけられた帯は蛇状帯であり、また前記ステントの拡張状態への拡張に際して、前記スリット各々は、コラム内セル（ＩＣＣ）を形成するように、寸法が拡張することを特徴とする請求項２７のステント。
【請求項２９】
末端と、先端と、該末端から該先端に延在する長手軸とを有するステントであって、該ステントは非拡張状態及び拡張状態を有し、該ステントは更に、
複数の軸方向に間隔があけられた帯と、各帯は複数のストラットを含み、隣接するストラットは、互いに連結されて、複数の頂及び谷を形成し、
前記帯を軸方向に連結する複数の相互連結ストラットと、
軸方向に隣接する帯及び円周方向に隣接する相互連結ストラットによって画定される複数のセルとを含み、
前記ステントが前記非拡張状態にある時に、各帯は複数のスリットを含み、各スリットは非直線状であると共に、第１端から第２端へ連続しており、且つ３個の連続して連結されたストラット各々の少なくとも一部に形成され、また各スリットは、隣接する相互連結
ストラットまで延出することを特徴とするステント。
【請求項３０】
各スリットの前記第２端は第４ストラット内に配置され、該第４ストラットは前記３個の連続して連結されたストラットに連続して連結されることを特徴とする請求項２９のステント。
【請求項３１】
前記複数の軸方向に間隔があけられた帯は蛇状帯であり、また前記ステントの前記拡張状態への拡張に際して、前記スリット各々は、コラム内セル（ＩＣＣ）を形成するように、寸法が拡張することを特徴とする請求項２９のステント。